(57)【要約】【課題】ベルト体に対する添装体の留め付け位置の調整を前記添装体の側を操作することなく前記ベルト体側を操作することでなせるようにする。【解決手段】ベルト体１と、添装体２とを備え、前記ベルト体１により前記添装体２を対象Ｐに圧接させるベルト装置である。前記添装体２は、前記ベルト体１の掛け回し部２０ａと、この掛け回し部２０ａに隣接する前記ベルト体１の通し部２０ｃとからなる前記ベルト体１の中間部１０に対する連係部２０を有している。前記ベルト体１の中間部１０は、前記添装体２における前記対象Ｐに圧接される内面２１側と反対の外面２２側から前記内面２１側に引き込まれ且つ前記通し部２０ｃから再び前記外面２２側に引き出されて前記掛け回し部２０ａに掛け回され、前記外面２２側において前記連係部２０上で前記ベルト体１の中間部１０が重なり合うようになっている。【選択図】図１０
2015209595.tif 000002
【特許請求の範囲】
【請求項１】
ベルト体と、添装体とを備え、前記ベルト体により前記添装体を対象に圧接させるベルト装置であって、
前記添装体は、前記ベルト体の掛け回し部と、この掛け回し部に隣接する前記ベルト体の通し部とからなる前記ベルト体の中間部に対する連係部を有しており、
前記ベルト体の中間部は、前記添装体における前記対象に圧接される内面側と反対の外面側から前記内面側に引き込まれ且つ前記通し部から再び前記外面側に引き出されて前記掛け回し部に掛け回され、前記外面側において前記連係部上で前記ベルト体の中間部が重なり合うようになっている、ベルト装置。
【請求項２】
前記連係部における前記通し部を挟んだ前記掛け回し部側と反対の外面を、前記掛け回し部の外面よりも外方に位置させてなる、請求項１に記載のベルト装置。
【請求項３】
前記ベルト体は左右にそれぞれ備えられ、この左右の前記ベルト体はそれぞれ一端側を前記添装体に対する取り付け側とすると共に他端側に他方の前記ベルト体に対する係合手段を備えており、
前記添装体は、その左側に左側のベルト体に対する前記連係部を備えると共に、その右側に右側のベルト体に対する前記連係部を備えてなる、請求項１又は請求項２に記載のベルト装置。
【請求項４】
前記添装体は前記左側の連係部の上方に左側の固定部を有し、前記左側のベルト体は前記左側の固定部に固定される一端と前記左側の連係部との間に位置される部分に前記右側のベルト体に対する追加係合手段を有し、
且つ、前記添装体は前記右側の連係部の上方に右側の固定部を有し、前記右側のベルト体は前記右側の固定部に固定される一端と前記右側の連係部との間に位置される部分に前記左側のベルト体に対する追加係合手段を有してなる、請求項３に記載のベルト装置。
【請求項５】
請求項１〜４のいずれか１項に記載のベルト装置を主体としてなる、装具。
【発明の詳細な説明】
【技術分野】
【０００１】
この発明は、ベルト体と添装体とを備え、前記ベルト体により前記添装体を対象に圧接させるベルト装置に関する。
【背景技術】
【０００２】
ベルトに用いられるバックルとして特許文献１に示されるものがある。かかるバックルは、一対のサイドフレーム部間に亘る第一クロスバー及び第二クロスバーを備えている。かかるバックルにあっては、ベルトは、このベルトの装着対象に向き合うバックルの背面側からバックル内を通過してバックルの前面側に引き出されると共に、前記第一クロスバーと第二クロスバーとの間から再びバックルの背面側に引き出されて前記第一クロスバーに掛け回されるようになっている。前記ベルトに作用されるテンションによって、第二クロスバー下を通って引き出されるベルトの端部側にこの第二クロスバーが押しつけられ、ベルトに対してバックルが留め付くようになっている。かかるバックルのベルトに対する留め付け位置を調整するときは、第二クロスバーの前記押しつけを解くようにバックルのこの第二クロスバー側を持ち上げる操作を必要とさせる。したがって、かかるバックルを含んで構成されるベルト装置は、前記のようにバックルを持ち上げる操作が可能な態様でのみ装着対象に利用可能なものであった。
【先行技術文献】
【特許文献】
【０００３】
【特許文献１】特開２００５−１３０９２５号公報
【発明の概要】
【発明が解決しようとする課題】
【０００４】
この発明が解決しようとする主たる問題点は、ベルト体と添装体とを備え、前記ベルト体により前記添装体を対象に圧接させるベルト装置及びこのベルト装置を主体としてなる装具において、ベルト体に対する添装体の留め付け位置の調整を前記添装体の側を操作することなく前記ベルト体側を操作することでなせるようにする点にある。
【課題を解決するための手段】
【０００５】
前記課題を達成するために、この発明にあっては、第一の観点から、ベルト装置を、ベルト体と、添装体とを備え、前記ベルト体により前記添装体を対象に圧接させるベルト装置であって、
前記添装体は、前記ベルト体の掛け回し部と、この掛け回し部に隣接する前記ベルト体の通し部とからなる前記ベルト体の中間部に対する連係部を有しており、
前記ベルト体の中間部は、前記添装体における前記対象に圧接される内面側と反対の外面側から前記内面側に引き込まれ且つ前記通し部から再び前記外面側に引き出されて前記掛け回し部に掛け回され、前記外面側において前記連係部上で前記ベルト体の中間部が重なり合うようになっている、ものとした。
【０００６】
前記対象には添装体の内面側が接し、添装体の外面にはベルト体の中間部における通し部からの引き出し側が接すると共に、この引き出し側上に前記中間部における添装体の内面側への引き込み側が位置される。ベルト体に所定の張力が作用された状態では、第一に添装体の外面側において前記連係部上で前記引き出し側が前記引き込み側によって押さえつけられ、第二に前記通し部へのベルト体の通過方向と前記張力の作用方向とが交叉することから添装体の連係部によってベルト体のその長さ方向に向けた移動は阻止され、第三に添装体を前記対象に圧接させることができ、また、この圧接状態を維持することができる。前記引き込み側が添装体の外面から離れるように操作すると前記押さえつけが解かれることから、前記引き出し側の長さを減じるように前記引き込み側を引っ張る操作が可能になる。この引き出し側の長さを減じる操作を止めると、前記張力が作用された状態では直ちに前記連係部上で前記引き出し側が前記引き込み側によって押さえつけられた状態に復帰され、前記引き出し側の長さを減じた調整状態が維持される。すなわち、かかるベルト装置にあっては、前記添装体を操作することなく、前記ベルト体側を操作することで、前記連係部によりベルト体の留め付け状態を解除可能となる。
【０００７】
前記連係部における前記通し部を挟んだ前記掛け回し部側と反対の外面を、前記掛け回し部の外面よりも外方に位置させるようにしておくことが、この発明の好ましい態様の一つとされる。このようにした場合、前記引き込み側が前記引き出し側を押さえつける力を、前記連係部における前記通し部を挟んだ前記掛け回し部側と反対の外面側に集中させて、前記引き込み側によって前記引き出し側をより確実に押さえつけることができる。
【０００８】
また、前記ベルト体は左右にそれぞれ備えられ、この左右の前記ベルト体はそれぞれ一端側を前記添装体に対する取り付け側とすると共に他端側に他方の前記ベルト体に対する係合手段を備えており、前記添装体は、その左側に左側のベルト体に対する前記連係部を備えると共に、その右側に右側のベルト体に対する前記連係部を備えてなるものとすることが、この発明の好ましい態様の一つとされる。この場合さらに、前記添装体は前記左側の連係部の上方に左側の固定部を有し、前記左側のベルト体は前記左側の固定部に固定される一端と前記左側の連係部との間に位置される部分に前記右側のベルト体に対する追加係合手段を有し、且つ、前記添装体は前記右側の連係部の上方に右側の固定部を有し、前記右側のベルト体は前記右側の固定部に固定される一端と前記右側の連係部との間に位置される部分に前記左側のベルト体に対する追加係合手段を有してなるものとすることが、この発明の好ましい態様の一つとされる。
【０００９】
また、前記課題を達成するために、この発明にあっては、第二の観点から、装具を、前記各ベルト装置のいずれかを主体としてなるものとした。
【発明の効果】
【００１０】
この発明によれば、前記ベルト装置及びこのベルト装置を主体としてなる装具において、ベルト体に対する添装体の留め付け位置の調整を前記添装体の側を操作することなく、前記ベルト体側を操作することでなすことができる。
【図面の簡単な説明】
【００１１】
【図１】図１は、この発明の一実施の形態にかかるベルト装置を主体として構成された装具の正面構成図であり、クッション材の記載を省略して示している。
【図２】図２は、前記ベルト装置を対象となる人間の腰部に装着する過程を示した構成図であり、腰部の背側に添装体を当てた状態を示している。
【図３】図３は、前記ベルト装置を対象となる人間の腰部に装着する過程を示した構成図であり、左右の追加係合手段を係合させ合わせた状態を示している。
【図４】図４は、前記ベルト装置を対象となる人間の腰部に装着した状態をを示した構成図である。
【図５】図５は、添装体の正面図である。
【図６】図６は、添装体の右側面図である。
【図７】図７は、添装体の背面図である。
【図８】図８は、図５におけるＢ−Ｂ線位置での断面図である。
【図９】図９は、図５におけるＣ−Ｃ線位置での断面図である。
【図１０】図１０は、図４におけるＡ−Ａ線位置での切断端面図である。
【図１１】図１１は、図１０の状態からベルト体の連係部への引き込み側を添装体の外面から離れるように操作した状態を示した切断端面図である。
【発明を実施するための形態】
【００１２】
以下、図１〜図１１に基づいて、この発明の典型的な実施の形態について、説明する。この実施の形態にかかるベルト装置は、ベルト体１と添装体２とを備えており、前記ベルト体１により前記添装体２を対象に圧接させるものである。前記対象Ｐは、ベルト装置を巻き付け可能なものであれば足り、これを充足する限りどのようなものであっても構わない。
【００１３】
この実施の形態にあっては、前記対象Ｐを人間の身体としており、前記ベルト装置は装具の主体を構成している。より具体的には、この実施の形態にあっては、ベルト装置は、人間の腰部Ｐａに巻き付けられて前記添装体２を腰部Ｐａの背側Ｐｂに圧接させる装具の一例としてのサポーターの主体を構成するものとなっている。
【００１４】
前記添装体２は、前記ベルト体１の掛け回し部２０ａと、この掛け回し部２０ａに隣接する前記ベルト体１の通し部２０ｃとからなる前記ベルト体１の中間部１０に対する連係部２０を有している。そして、前記ベルト体１の中間部１０は、前記添装体２における前記対象Ｐに圧接される内面２１側と反対の外面２２側から前記内面２１側に引き込まれ且つ前記通し部２０ｃから再び前記外面２２側に引き出されて前記掛け回し部２０ａに掛け回され、前記外面２２側において前記連係部２０上で前記ベルト体１の中間部１０が重なり合うようになっている。
【００１５】
対象Ｐには添装体２の内面２１側が接し、添装体２の外面２２にはベルト体１の中間部１０における通し部２０ｃからの引き出し側１１が接すると共に、この引き出し側１１上に前記中間部１０における添装体２の内面２１側への引き込み側１２が位置される（図１０）。ベルト体１に所定の張力が作用された状態では、第一に添装体２の外面２２側において前記連係部２０上で前記引き出し側１１が前記引き込み側１２によって押さえつけられ、第二に前記通し部２０ｃへのベルト体１の通過方向ｘと前記張力の作用方向ｙとが交叉することから（図１０）添装体２の連係部２０によってベルト体１のその長さ方向に向けた移動は阻止され、第三に添装体２を前記対象Ｐに圧接させることができ、また、この圧接状態を維持することができる。前記引き込み側１２が添装体２の外面２２から離れるように操作すると前記押さえつけが解かれることから、前記引き出し側１１側の長さを減じるように前記引き込み側１２を引っ張る操作が可能になる（図１１）。この引き出し側１１側の長さを減じる操作を止めると、前記張力が作用された状態では直ちに前記連係部２０上で前記引き出し側１１が前記引き込み側１２によって押さえつけられた状態に復帰され、前記引き出し側１１側の長さを減じた調整状態が維持される。すなわち、この実施の形態にかかるベルト装置にあっては、前記添装体２を操作することなく、前記ベルト体１側を操作することで、前記連係部２０によりベルト体１の留め付け状態を解除可能となっている。
【００１６】
図示の例では、ベルト体１は、帯状を呈している。また、図示の例では、ベルト体１は、伸縮性を有するものとなっている。
【００１７】
この実施の形態にあっては、前記ベルト体１は左右にそれぞれ備えられ、この左右の前記ベルト体１、１はそれぞれ一端側を前記添装体２に対する取り付け側とすると共に他端側に他方の前記ベルト体１に対する係合手段１３を備えている。それと共に、前記添装体２は、その左側に左側のベルト体１に対する前記連係部２０を備えると共に、その右側に右側のベルト体１に対する前記連係部２０を備えている。
【００１８】
また、この実施の形態にあっては、前記添装体２は前記左側の連係部２０の上方に左側の固定部２３を有し、前記左側のベルト体１は前記左側の固定部２３に固定される一端と前記左側の連係部２０との間に位置される部分に前記右側のベルト体１に対する追加係合手段１４を有し、且つ、前記添装体２は前記右側の連係部２０の上方に右側の固定部２３を有し、前記右側のベルト体１は前記右側の固定部２３に固定される一端と前記右側の連係部２０との間に位置される部分に前記左側のベルト体１に対する追加係合手段１４を有している。
【００１９】
図示の例では、前記添装体２は、上部２４と、左右側部２５、２５と、下部２６と、上下方向中程の位置において前記左右側部２５、２５間に架け渡し状に備えられた仕切り部２７とを備えた枠状を呈し、前記装具の剛体部分を構成するものとなっている。かかる添装体２は典型的にはプラスチック製とされる。前記添装体２は、前記仕切り部２７の上方にこの仕切り部２７と上部２４と左右側部２５、２５とに囲繞された実質的に四角形の上側空所２８を有すると共に、前記仕切り部２７の下方にこの仕切り部２７と下部と左右側部２５、２５とに囲繞された実質的に四角形の下側空所２９を有している。図中符号３で示すのは、添装体２における対象Ｐに圧接される内面２１側を覆うクッション材である。
【００２０】
前記上側空所２８を囲繞する左右側部２５、２５にはそれぞれ、上下方向に沿った上側スリット２３ａが形成されている。
【００２１】
また、前記下側空所２９を囲繞する左右側部２５、２５にもそれぞれ、下側スリット２０ｄが形成されている。左右の下側スリット２０ｄ、２０ｄは、それぞれ直線状をなすように形成されていると共に、その上端に近づくに連れてこの左右の下側スリット２０ｄ、２０ｄ間の距離を漸減するように形成されている。この実施の形態にあっては、前記下側スリット２０ｄが前記通し部２０ｃとして機能し、この下側スリット２０ｄと下側空所２９との間に位置される側部２５の一部が前記掛け回し部２０ａとして機能するようになっている。
【００２２】
図示の例では、左側のベルト体１は、その一端側を左側の前記上側スリット２３ａに通すと共に、この上側スリット２３ａから引き出されたベルト体１の一端側の端末を前記側部２５と前記追加係合手段１４との間においてベルト体１の中間部１０に縫着（この縫着箇所を図１において符号１５で示す。）させており、これにより前記一端側を添装体２への取り付け側とするようになっている。すなわち、左側の前記上側スリット２３ａが、添装体２の前記左側の固定部２３として機能するようになっている。また、左側のベルト体１は、前記下側空所２９を通じて前記添装体２の外面２２側から前記内面２１側に引き込まれ且つ前記通し部２０ｃとしての左側の前記下側スリット２０ｄから再び前記外面２２側に引き出されて左側の前記掛け回し部２０ａに掛け回されるようになっている。
【００２３】
図示の例では、右側のベルト体１は、その一端側を右側の前記上側スリット２３ａに通すと共に、この上側スリット２３ａから引き出されたベルト体１の一端側の端末を前記側部２５と前記追加係合手段１４との間においてベルト体１の中間部１０に縫着（この縫着箇所を図１において符号１５で示す。）させており、これにより前記一端側を添装体２への取り付け側とするようになっている。すなわち、右側の前記上側スリット２３ａが、添装体２の前記右側の固定部２３として機能するようになっている。また、右側のベルト体１は、前記下側空所２９を通じて前記添装体２の外面２２側から前記内面２１側に引き込まれ且つ前記通し部２０ｃとしての右側の前記下側スリット２０ｄから再び前記外面２２側に引き出されて右側の前記掛け回し部２０ａに掛け回されるようになっている。
【００２４】
図示の例では、前記追加係合手段１４は、一端を前記ベルト体１に固着させた帯状体１４’に面状ファスナー１４ａを設けさせた構成となっている。図示の例では、右側のベルト体１に備えさせた帯状体１４’の内面と左側のベルト体１に備えさせた帯状体１４’の外面とを接し合わせるように左右の帯状体１４’を重ね合わせた状態において、右側の帯状体１４’の内面側に備えられた面状ファスナー１４ａが左側の帯状体１４’の外面側に備えられた面状ファスナー１４ａに係合されるようになっている（図３）。
【００２５】
また、図示の例では、前記左側のベルト体１の係合手段１３は雌バックル１３２であり、右側のベルト体１の係合手段１３は前記雌バックル１３２に係脱自在に係合される雄バックル１３１となっている。図示の例では、雄バックル１３１は、雌バックル１３２の受入部１３２ａに弾性変形により受入を許容される一対の弾性脚１３１ｂよりなる差込部１３１ａを有しており、この受入部１３２ａへの差込部１３１ａの差し込み終了位置での前記弾性脚１３１ｂの弾性復帰によって各弾性脚１３１ｂの外側に形成された引っかかり部１３１ｃを前記受入部１３２ａに形成された窓穴１３２ｂに納め入れて雌バックル１３２に係合されるようになっている。かかる係合状態は、前記窓穴１３２ｂを通じて前記引っかかり部１３１ｃを押圧して雄バックル１３１の弾性脚１３１ｂを内向きに弾性変形させることで解除可能となっている。また、図示の例では、前記右側のベルト体１の他端側は、前記雄バックル１３１の留め付け部１３１ｄに対して留め付け位置調整可能に挿通されている。
【００２６】
添装体２の内面２１側を腰部Ｐａの背側Ｐｂに当て、左側のベルト体１の固定部２３と追加係合手段１４との間に位置される箇所及び右側のベルト体１の固定部２３と追加係合手段１４との間に位置される箇所を引き延ばしながら、左右の追加係合手段１４を構成する帯状体１４’を腹側で重ね合わせ、左右の追加係合手段１４を係合させ合わせる（図２から図３）。次に、左側のベルト体１の他端側及び右側のベルト体１の他端側をそれぞれ引っ張る。これにより、左右の追加係合手段１４と連係部２０との間に斜めに延びるベルト体１の中間部１０の長さを短くして、前記添装体２をその上下両側において対象Ｐとしての腰部Ｐａの背側Ｐｂに圧接させることができる。最後に、左右の係合手段１３、１３を係合させ合わせると共に、右側の係合手段１３を構成する雄バックル１３１と右側のベルト体１との留め付け位置を調整して連係部２０から先のベルト体１の長さを短くする（図３から図４）。添装体２の左右においてそれぞれ、ベルト体１は二箇所で屈曲され、各屈曲箇所において、内外に重なり合った態様となる。前記ベルト体１における前記引き出し側１１の外側に位置される引き込み側１２が添装体２の外面２２から離れるように操作すると前記押さえつけが解かれることから、前記引き出し側１１側の長さを減じて図示の例では前記左右の追加係合手段１４とと連係部２０との間に斜めに延びるベルト体１の中間部１０の長さを増加させるように前記引き込み側１２を引っ張ることができ（図１１）、これにより、この斜めに延びるベルト体１の中間部１０による締め付け力を弱めることができる。
【００２７】
また、この実施の形態にあっては、前記連係部２０における前記通し部２０ｃとしての下側スリット２０ｄを挟んだ前記掛け回し部２０ａ側と反対の外面２２は、前記掛け回し部２０ａの外面２２よりも外方に位置されるようになっている（図１０）。図示の例では、前記下側空所２９を囲繞する側部２５の外面２２のうち、下側スリット２０ｄの外側に位置される外面２２が掛け回し部２０ａの外面２２よりも外側に位置されるようになっている。また、かかる外面２２は、下側スリット２０ｄの開口縁となる箇所２０ｅを傾斜上とした傾斜を有している。これにより、この実施の形態にあっては、前記引き込み側１２が前記引き出し側１１を押さえつける力を、前記連係部２０における前記通し部２０ｃとしての下側スリット２０ｄを挟んだ前記掛け回し部２０ａ側と反対の外面２２側に集中させて、前記引き込み側１２によって前記引き出し側１１をより確実に押さえつけるようになっている。図示の例では、特に、前記下側スリット２０ｄの開口縁２０ｅとなる箇所に、前記押さえつける力が集中されるようになっている。
【００２８】
なお、図中符号４は、前記帯状体１４’とベルト体１の他端との位置関係を一定に保つための伸縮性を備えた両者を結ぶ連係紐である。
【００２９】
以上に説明した例では、左右のベルト体１をそれぞれ別体としているが、左右のベルト体１を添装体２の上側空間において連続した一本のベルトから構成しても構わない。
【００３０】
なお、当然のことながら、本発明は以上に説明した実施態様に限定されるものではなく、本発明の目的を達成し得るすべての実施態様を含むものである。
【符号の説明】
【００３１】
１  ベルト体
１０  中間部
２  添装体
２０  連係部
２０ａ  掛け回し部
２０ｃ  通し部
３  内面
２２  外面
Ｐ  対象
【図１】
2015209595.tif 000003
【図２】
2015209595.tif 000004
【図３】
2015209595.tif 000005
【図４】
2015209595.tif 000006
【図５】
2015209595.tif 000007
【図６】
2015209595.tif 000008
【図７】
2015209595.tif 000009
【図８】
2015209595.tif 000010
【図９】
2015209595.tif 000011
【図１０】
2015209595.tif 000012
【図１１】
2015209595.tif 000013